(57)【要約】【課題】玩具銃において弾速を上げる事なく効率よく飛距離を増大させ、その弾道を調節できる装置を提供する。【解決手段】銃身１の切り欠部ａに、弾性体からなるチャンバー２の揚力発生部ｂを微小に突出させ、銃身内面ｅと揚力発生部ｂと接するＢＢ弾４の上面と下面とに生ずる抵抗の差によって揚力発生部通過の際にＢＢ弾４に上向きの回転を与え揚力を発生させる。これにより重力の作用に反して発射速度を上げる事なく飛距離を増大させる事が出来る。その際、揚力発生部ｂ上部を移動可能な抵抗距離調節プレート３によってＢＢ弾４の上面に対する抵抗の生ずる距離を調節する事が出来るようにする。【選択図】　　　　図１
2004125291.tif 000002
【特許請求の範囲】
【請求項１】
銃身１の切り欠部ａからＢＢ弾４に対し微小に接するように突出した弾性体を用いたチャンバー２の揚力発生部ｂ及び銃身内面ｅと接するＢＢ弾４における上面及び下面の抵抗の差を生じさせると共に、揚力発生部ｂ上部に配した抵抗距離調節プレート３の調節によって揚力発生部ｂにおける抵抗距離を変化させる事で発生する揚力を調節する玩具銃の調整式弾道安定装置
【発明の詳細な説明】
【０００１】
【発明が属する技術分野】
本発明は玩具銃における弾道の安定及び飛距離の調整に関する発明である。
【０００２】
【従来の技術】
玩具銃において通常使用される球形の弾丸、いわゆるＢＢ弾を発射する玩具銃は主にＢＢ弾の保持部であるチャンバー部分にＢＢ弾を装填し圧縮空気またはガスまたは炭酸ガス等（以下ガス）の圧力によって銃身内で前進、加速する。その為、ＢＢ弾を発する際の圧縮空気の圧力の差や放出量等によってＢＢ弾の飛距離が決定される。従って、ＢＢ弾に与えるエネルギーを増大すれば飛距離も増大する事となる。このようにＢＢ弾に与えるエネルギーを増やす方法ではなく、エネルギーは一定にして飛距離を安定的に伸ばす方法としてＢＢ弾に揚力を発生させる方法がある。ＢＢ弾への揚力発生の方法としては、銃身内面に上部に突起をつくりＢＢ弾が通過する際のＢＢ弾の上面及び下面の抵抗の差を作り出し、その際上面の抵抗を下面の抵抗に対して大きくする事で上向きの回転をかけ揚力を発生し飛距離を増大させる方法がある。
【０００３】
また、その揚力発生度については固定式と可変調整式とがあり固定式においては突起物の銃身内またはチャンバー内での突出度等が予め設定されており、ＢＢ弾が同一で、圧力や放出量等が同じ場合には、一定の揚力によって一定の飛距離を保つ事が出来る。しかし、ＢＢ弾の重量等が異なる場合や、圧力や放出量が異なる場合、それらの条件によって飛距離に変化が生じてしまう。一方可変調整式については突起の銃身中心線へ向かう突出度を変化させる事で、ＢＢ弾上方へ加える抵抗の変化によってＢＢ弾の回転力を変化させるものであり、ＢＢ弾の重量等の条件が異なる場合でも揚力を変化させる事で飛距離を調整できる。
【０００４】
【発明が解決しようとする課題】
しかし、従来方法においてこの突起部を作る出す方法としては、銃身にはめ込んだＯリングの一部が銃身内部の上面から突出するようにしたり、銃身上部に開口部を設け、そこを弾性シートや弾性チューブによって被せそれらを上方から押さえつける方法があるが、これらの方法では抵抗距離が短く、結果的に突起に接している僅かな時間で抵抗を与えなければならない。その為、可変式の場合において飛距離を得ようと突出度を強く調整した場合、ＢＢ弾への抵抗が増してしまい発射時の弾速が反対に減速してしまって結果的に飛距離が低下してしまったり、場合によっては滞弾を引き起こしてしまう。また、弾丸の装填位置が僅かに変化してしまうと、回転数が一定せず命中精度も一定しにくいという問題点があった。
【０００５】
【課題を解決するための手段】
本発明は上記課題を解決するためになされたものである。従来技術では可変式にする際に突起部の押圧を変化させ、ＢＢ弾にかかる抵抗を調節する方式を採っていた為このような問題点が生じていた。これに対し本発明はＢＢ弾下面に比して上面に大きな抵抗を与える際、押圧は一定にして抵抗距離を変化させる事で揚力を変化させ、様々な条件に対し適度な飛距離に調整可能となっている。
【０００６】
【発明の実施の形態】
本発明は、ＢＢ弾に揚力を発生させるためのものであり、玩具銃において一般的である給弾ノズルによってチャンバー内にＢＢ弾を装填し放出されたガス圧によってＢＢ弾を銃身内で加速し発射するしくみをとるものに使用することができる。
【０００７】
【実施例】
以下本発明の実施例を図を用いて詳細に説明する。図１は本発明の構成部品である銃身１と弾性体からなる筒状のチャンバー２、抵抗距離調節プレート３を組み合わせ、ＢＢ弾４を保持した状態、即ち発射前の状態である。図４に示すようにＢＢ弾４は給弾口ｄより給弾ノズル５によってＢＢ弾保持部ｃまで押し込まれる。そして給弾ノズル５から放出されるガスによって銃身内で十分に加速し発射される。
【０００８】
抵抗距離調節プレート３は図１に示すように矢印の範囲で調節可能である。揚力発生部ｂは銃身内部ｅよりも微小に突出した状態になっておりＢＢ弾４通過の際に微小に接しており微弱な抵抗を与えるものとなっている。しかしながら抵抗距離調節プレート３を配しない状態、即ち図２のような状態では、ＢＢ弾４が発せられる際、高速で加速されたＢＢ弾４が揚力発生部ｂを押し上げて通過するため、揚力を得るほどの上向きの回転が得られないため、揚力発生装置を有しない玩具銃同様に殆ど自然な放物線を描いて落下する。
【０００９】
そして、揚力を発生させたい場合、矢印の範囲で抵抗距離即ち抵抗時間を増す事ができる。この場合、抵抗調節プレート３が揚力発生部ｂの上部にある範囲ではＢＢ弾４が通過する時には揚力発生部ｂを押し上げて通過する事を抑制し、ＢＢ弾４の上面に弾性体からなる揚力発生部ｂの軽い抵抗を受けながら加速するためＢＢ弾４に上向きの回転を与え揚力が発生し重力に反して直進距離を増すことが出来る。また、この場合に図３のように抵抗距離調節プレート３の影響のない揚力発生部ｂ即ち抵抗距離調節プレート３が上面に位置しない揚力発生部３は、ＢＢ弾４の抵抗となる事がないので抵抗距離調節プレートの位置によって抵抗時間が変化するのである。
【００１０】
図５に示すように銃身１はチャンバー側には一定の長さに切り欠いた切り欠部ａを設ける。この部分からチャンバー２の揚力発生部ｂが微小に突出する事になり、この範囲で抵抗距離調節プレート３によって抵抗距離を調整出来る。
【００１１】
チャンバー２のＢＢ弾保持部ｃはＢＢ弾の外径とほぼ同程度であり給弾ノズル５により押し込まれたＢＢ弾４は慣性によって前進し揚力発生部ｂに接した状態で停止する。
【００１２】
【発明の効果】
以上のような構成をもって本発明は作用する。この為、従来に比べ少ない抵抗で揚力を発生する事が出来るため、揚力発生部ｂにおける発射の際のエネルギーのロスを極力抑えて十分な飛距離を得る事が出来る。
【００１３】
また、球形の弾丸においては発射の際、ＢＢ弾４は揚力発生部ｂに出来るだけ接した方が十分な揚力が得られる。揚力発生部ｂから乖離した状態で一旦加速してしまうと十分な抵抗を得る前に揚力発生部ｂを通過してしまう。この為、ＢＢ弾保持部ｃと揚力発生部ｂの乖離した機構を持つものは、揚力が十分に得られないか又は揚力発生部を極端に突出したものにする必要があり、エネルギーのロスも大きい。また、揚力発生部位ｂ直前においてＢＢ弾４を保持する場合では、完全に揚力発生効果を無くすと給弾した際の抵抗が少なく給弾のタイミングによっては十分保持できず弾こぼれがおこりかねず、特に連続発射の際に銃身を傷つける原因ともなっていたが、本発明の場合、微小ながら従来に比べ長い距離でＢＢ弾４に対して抵抗を与えるため仮にＢＢ弾保持部をｃをこえて給弾したとしても十分に保持する事が出来る点においても有用である。
【図面の簡単な説明】
【図１】本発明においてＢＢ弾発射前における断面図である。
【図２】本発明において揚力発生具合を最も弱くした場合におけるＢＢ弾が揚力発生部を通過する際の断面図である。
【図３】本発明において揚力発生具合を最も強くした場合におけるＢＢ弾が揚力発生部を通過する際の断面図である。
【図４】本発明において給弾ノズルとＢＢ弾保持部との位置関係を示した断面図である。
【図５】本発明における銃身の断面図である。
【符号の説明】
１　　銃身
２　　チャンバー
３　　抵抗距離調節プレート
４　　ＢＢ弾
５　　給弾ノズル
ａ　　切り欠部
ｂ　　揚力発生部
ｃ　　ＢＢ弾保持部
ｄ　　給弾口
ｅ　　銃身内面
【図１】
2004125291.tif 000003
【図２】
2004125291.tif 000004
【図３】
2004125291.tif 000005
【図４】
2004125291.tif 000006
【図５】
2004125291.tif 000007